(57)【要約】【課題】  所定の番組について毎日の予約、毎週の予約、あるいは毎月の予約がされたものの、番組情報によれば、次回の同一時間帯の番組が所定の番組とは異なるものであるときは、ユーザに注意のメッセージを出して、不本意な記録を防止する。【解決手段】  毎日の予約、毎週の予約、あるいは毎月の予約がされたとき、放送局からあらかじめ送られている番組情報を分析して、連続して同一番組が放送されるか否かを確認するようにし、次回の録画予定の番組が所望の番組ではないときは、ユーザに注意のメッセージなどを出す。【選択図】  図２
2006333397.tif 000002
【特許請求の範囲】
【請求項１】
放送信号を受信して、選局制御信号に基づいて所望の局の放送信号を選局して映像／音声信号を出力するとともに、所定のスケジュールに基づいて送信される番組情報を受信して出力する受信部と、
受信の予約又は記録の予約時に、ユーザによる予約を受け付けて、受信又は記録すべき放送信号と、その放送開始予定時刻を含む予約内容を記憶する予約内容格納部と、
前記予約内容格納部に記憶された前記予約内容に基づいて、前記受信部で選局された前記所望の放送信号を記録する記録回路と、
前記予約内容格納部に複数の番組が予約されたとき、それらが毎日の予約、毎週の予約、あるいは毎月の予約であるか否かを少なくとも判断し、それらのいずれかであるときは、前記受信部で得られた前記番組情報を分析して、毎日の予約の場合は、予約された最初の番組と翌日の同一時間帯の番組が同一であるか不一致であるかを判断し、毎週の予約の場合は、予約された最初の番組と翌週の同曜日の同一時間帯の番組が同一であるか不一致であるかを判断し、毎月の予約の場合は、予約された最初の番組と翌月の同一日の同一時間帯の番組が同一であるか不一致であるかを判断する予約内容比較部と、
前記予約内容比較部における判断の結果、不一致であることが検出されたときは、所定の注意を前記ユーザに提供すべく、前記映像／音声信号に所定の信号を挿入する予約内容確認メッセージ挿入部とを、
有する予約型放送受信・記録装置。
【請求項２】
放送信号を受信して、選局制御信号に基づいて所望の局の放送信号を選局して映像／音声信号を出力するとともに、所定のスケジュールに基づいて送信される番組情報を受信して出力する受信部と、
受信の予約又は記録の予約時に、ユーザによる予約を受け付けて、受信又は記録すべき放送信号と、その放送開始予定時刻を含む予約内容を記憶する予約内容格納部と、
前記予約内容格納部に記憶された前記予約内容に基づいて、前記受信部で選局された前記所望の放送信号を記録する記録回路と、
前記予約内容格納部に複数の番組が予約されたとき、それらが毎日の予約、毎週の予約、あるいは毎月の予約であるか否かを少なくとも判断し、それらのいずれかであるときは、前記受信部で得られた前記番組情報を分析して、毎日の予約の場合は、予約された最初の番組と翌日の同一時間帯の番組が同一であるか不一致であるかを判断し、毎週の予約の場合は、予約された最初の番組と翌週の同曜日の同一時間帯の番組が同一であるか不一致であるかを判断し、毎月の予約の場合は、予約された最初の番組と翌月の同一日の同一時間帯の番組が同一であるか不一致であるかを判断する予約内容比較部と、
前記予約内容比較部における判断の結果、不一致であることが検出されたときは、前記番組情報を検索して、予約された前記番組の次回の放送の日時を検出する検出部と、
検出された次回の放送の日時を予約すべき正しい予約スケジュール情報として前記ユーザに報知すべく、前記映像／音声信号に所定の信号を挿入する予約内容確認メッセージ挿入部とを、
有する予約型放送受信・記録装置。
【発明の詳細な説明】
【技術分野】
【０００１】
本発明は、あらかじめユーザが予約した時間帯に所望の放送局の所望の番組を受信したり、かかる受信により得られた受信信号を記録する、予約型放送受信・記録装置に関する。
【背景技術】
【０００２】
ＶＴＲ、ＤＶＤレコーダ、ＨＤ（ハードディスク）レコーダ、あるいはこれらの混合機では、一般に、リモコンなどによりユーザが所望の番組をあらかじめ予約して録画などの記録ができるようになっている。また、連続ドラマや、シリーズものの番組の場合、毎日、同一局で同一時間帯に、あるいは毎週、同一局で同一曜日の同一時間帯に、あるいは毎月、同一局で同一日の同一時間帯に順次放送があるので、予約機能中に、「毎日録画」のモード、「毎週録画」のモード、あるいは「毎月録画」のモードなどが設けられていて、ユーザは、これらのモードを選択することにより、個々の放送の放送局や時間帯を繰り返し入力しなくてもよい。かかる従来の技術を示すものとして、例えば下記の特許文献１に記載されたものがある。
【特許文献１】特開平１１−９８４４９号公報（要約書）
【発明の開示】
【発明が解決しようとする課題】
【０００３】
上記特許文献１に記載されている従来技術においては、毎週録画などの設定が行われると、録画装置は、タイマー録画により、毎週、同一放送局の番組を同一曜日の同一時間帯に記録する。しかしながら、連続ものの番組であっても、予定通りに放送されるとは限らず、放送局側の都合で、時間や曜日がずれたり、あるいは予定されていた番組の放送が中止となることもある。さらに、連続ドラマなどは有限回数であるが、最終回が終了した後もユーザが予約を解除しない限り、同一放送局の他の番組を録画し続け、記録媒体を無駄に浪費することにもなる。
【０００４】
そこで本発明は、所定の番組について毎日の予約、毎週の予約、あるいは毎月の予約がされたものの、番組情報によれば、次回の同一時間帯の番組が所定の番組とは異なるものであるときは、ユーザに注意のメッセージを出して、不本意な記録を防止することを第１の目的とし、同様に番組情報によれば、次回の同一時間帯の番組が所定の番組とは異なるものであるときは、番組情報を検索して、予約された番組の次回の放送の日時を予約すべき正しい予約スケジュール情報としてユーザに報知することを第２の目的とする。
【課題を解決するための手段】
【０００５】
上記第１の目的を達成するため、本発明は、毎日の予約、毎週の予約、あるいは毎月の予約がされたとき、放送局からあらかじめ送られている番組情報を分析して、連続して同一番組が放送されるか否かを確認するようにし、次回の録画予定の番組が所望の番組ではないときは、ユーザに注意のメッセージを出すようにして注意を喚起するようにしたものである。
【０００６】
すなわち本発明によれば、放送信号を受信して、選局制御信号に基づいて所望の局の放送信号を選局して映像／音声信号を出力するとともに、所定のスケジュールに基づいて送信される番組情報を受信して出力する受信部と、
受信の予約又は記録の予約時に、ユーザによる予約を受け付けて、受信又は記録すべき放送信号と、その放送開始予定時刻を含む予約内容を記憶する予約内容格納部と、
前記予約内容格納部に記憶された前記予約内容に基づいて、前記受信部で選局された前記所望の放送信号を記録する記録回路と、
前記予約内容格納部に複数の番組が予約されたとき、それらが毎日の予約、毎週の予約、あるいは毎月の予約であるか否かを少なくとも判断し、それらのいずれかであるときは、前記受信部で得られた前記番組情報を分析して、毎日の予約の場合は、予約された最初の番組と翌日の同一時間帯の番組が同一であるか不一致であるかを判断し、毎週の予約の場合は、予約された最初の番組と翌週の同曜日の同一時間帯の番組が同一であるか不一致であるかを判断し、毎月の予約の場合は、予約された最初の番組と翌月の同一日の同一時間帯の番組が同一であるか不一致であるかを判断する予約内容比較部と、
前記予約内容比較部における判断の結果、不一致であることが検出されたときは、所定の注意を前記ユーザに提供すべく、前記映像／音声信号に所定の信号を挿入する予約内容確認メッセージ挿入部とを、
有する予約型放送受信・記録装置が提供される。
【０００７】
また、上記第２の目的を達成するため、本発明は、毎日の予約、毎週の予約、あるいは毎月の予約がされたとき、放送局からあらかじめ送られている番組情報を分析して、予約された番組の次回の放送の日時を予約すべき正しい予約スケジュール情報としてユーザに報知するようにしている。
【０００８】
すなわち本発明によれば、放送信号を受信して、選局制御信号に基づいて所望の局の放送信号を選局して映像／音声信号を出力するとともに、所定のスケジュールに基づいて送信される番組情報を受信して出力する受信部と、
受信の予約又は記録の予約時に、ユーザによる予約を受け付けて、受信又は記録すべき放送信号と、その放送開始予定時刻を含む予約内容を記憶する予約内容格納部と、
前記予約内容格納部に記憶された前記予約内容に基づいて、前記受信部で選局された前記所望の放送信号を記録する記録回路と、
前記予約内容格納部に複数の番組が予約されたとき、それらが毎日の予約、毎週の予約、あるいは毎月の予約であるか否かを少なくとも判断し、それらのいずれかであるときは、前記受信部で得られた前記番組情報を分析して、毎日の予約の場合は、予約された最初の番組と翌日の同一時間帯の番組が同一であるか不一致であるかを判断し、毎週の予約の場合は、予約された最初の番組と翌週の同曜日の同一時間帯の番組が同一であるか不一致であるかを判断し、毎月の予約の場合は、予約された最初の番組と翌月の同一日の同一時間帯の番組が同一であるか不一致であるかを判断する予約内容比較部と、
前記予約内容比較部における判断の結果、不一致であることが検出されたときは、前記番組情報を検索して、予約された前記番組の次回の放送の日時を検出する検出部と、
検出された次回の放送の日時を予約すべき正しい予約スケジュール情報として前記ユーザに報知すべく、前記映像／音声信号に所定の信号を挿入する予約内容確認メッセージ挿入部とを、
有する予約型放送受信・記録装置が提供される。
【発明の効果】
【０００９】
本発明の予約型放送受信・記録装置によれば、放送局側の都合などで連続番組の時間帯や曜日などに変更が生じたときには、ユーザの思いこみによる不本意な記録をすることのないように、ユーザに注意のメッセージ出すことができたり、あるいは番組情報を検索して、予約された前記番組の次回の放送の日時を予約すべき正しい予約スケジュール情報として前記ユーザに報知するので、変更後の番組を確実に記録することができ、かつ記録媒体の無駄な浪費を防止することができる。
【発明を実施するための最良の形態】
【００１０】
以下図面を参照して本発明の好ましい実施の形態について説明する。なお、本発明の予約型放送受信・記録装置は、典型的にはＶＴＲ、ＤＶＤレコーダ、ＨＤレコーダ、あるいはこれらの混合機として実現することができるが、記録媒体としては、半導体メモリやその他の媒体を使用することもできる。また、記録装置のない予約型受信装置としても実現することができる。
【００１１】
図１は、本発明の予約型放送受信・記録装置の好ましい実施の形態を示すブロック図である。図１において、この実施の形態にかかる予約型放送受信・記録装置１０は、アンテナ１２から受信放送信号を受け、後述する選局制御信号に基づいて所望の局の放送信号を選局して映像／音声信号を出力するとともに、所定のスケジュールに基づいて送信される番組情報を受信して出力する受信部１４、受信部１４で分離されたＥＰＧ（番組表）、すなわち番組データを格納するＥＰＧ（番組表）格納部１６、受信部１４で選局されて得られた所定放送局の映像／音声信号を受ける予約内容確認メッセージ挿入部１８、予約内容確認メッセージ挿入部１８の出力信号を受ける選択回路２０、図示省略のリモコンなどからの録画予約信号その他の指令を受け入れて所定の制御動作を行うＣＰＵ（中央演算処理装置）２２、ＣＰＵ２２から予約内容を示す信号を受けて格納する予約内容格納部２４、ＣＰＵ２２の指示に基づいてＥＰＧ（番組表）格納部１６から入力される番組情報の内容と予約内容格納部２４から入力される番組情報の内容とを比較する予約内容比較部２６、受信部１４から供給される映像／音声信号を受けてこれを記録媒体３２に記録する記録回路３０、記録媒体３２から記録されている映像／音声信号を読み出す再生回路３４を有している。選択回路２０は、予約内容確認メッセージ挿入部１８の出力信号と再生回路３４の出力信号のいずれかをＣＰＵ２２からの指示により選択して出力するものである。なお、図１のブロック図では、受信する部分、すなわちＴＶ受信機と記録／再生する部分、すなわちＶＴＲやＤＶＤなどの記録／再生装置とが一体に示されているが、これらは、適宜分離することができる。
【００１２】
図１の予約型放送受信・記録装置の動作について、以下図２及び図３のフローチャートに基づいて説明する。図２のフローチャートと図３のフローチャートは、ＣＰＵ２２と予約内容比較部２６の動作をまとめて示したものであるが、後述するように予約内容の比較の結果、不一致の場合の処理が異なるものである。まず図２のフローチャートについて説明する。図２において、ＣＰＵ２２は、ステップＳ１でリモコンなどからの番組の録画予約を受け付ける。図１のブロック図では、省略されているが、リモコンからの赤外線信号などは、受光部を有する図示省略のインターフェイスを介してＣＰＵ２２に与えられる。また、リモコンに限らず、受信装置あるいは、記録回路３０に付随している図示省略の操作部からの予約信号を受信することもできる。
【００１３】
次いでステップＳ２で、予約内容に「毎週」の設定があるか否かを判断する。「毎週」の設定がなければ、処理を終了する。一方、「毎週」の設定があるときは、次のステップＳ３へ行き、予約内容比較部２６で予約内容の最初の該当日と１週間後の同一時間／同一チャンネルの番組内容を比較する。具体的には、予約内容格納部２４に格納された予約内容の最初の該当日の予約時間／予約チャンネルとＥＰＧ（番組表）格納部１６から与えられる１週間後の同一時間／同一チャンネルの番組内容を比較する。次のステップＳ４で比較した番組内容が相互に一致するか否かを判断し、一致する場合は、何ら問題ないので、処理を終了する。
【００１４】
一方、ステップＳ４で一致しないときは、ステップＳ５へ行き、「予約内容を確認してください」という意味のメッセージを画面表示あるいは音声により提供すべく、予約内容比較部２６から予約内容確認メッセージ挿入部１８へ指示が行われる。ステップＳ５が終了すると処理が終了する。予約内容比較部２６から予約内容確認メッセージ挿入部１８へ上記の指示が行われると、文字や音声の画面又は音声への挿入が行われて、選択回路２０を介して映像／音声出力として図示省略のモニタ装置（ディスプレーとスピーカを含むもの）に供給する。したがって、実際の放送は、毎週ではなかったり、時間帯が同一ではないのに、ユーザが毎週同一番組が同一チャンネルの同一時刻にあると思いこんで録画の予約をした場合、直ちに画面に「予約内容を確認してください」と表示されたり、あるいは音声で同様の注意をユーザに促すことができる。よって、ユーザは予約を変更するなどの対処が可能である。
【００１５】
次に図３のフローチャートについて図２と異なる部分について説明する。図３中、図２と同一部分は、同一のステップ番号が付されている。図３では、ステップＳ４で不一致の場合、ステップＳ６へ行き、最初の該当日から１週間後の同一チャンネルの番組表から、予約内容の最初の該当日の番組と同一の番組を検索する。ステップＳ７において検索の結果、同一番組がある場合は、それを検出して、ＥＰＧからその時間帯などを取得して、これを画面表示あるいは音声により提供する。すなわちＣＰＵ２２は、検出部として動作し、メッセージを画面表示あるいは音声により提供すべく、ＣＰＵ２２から予約内容確認メッセージ挿入部１８へ指示が行われる。一方、検索の結果、同一番組がない場合は、その旨と、図２のステップＳ５のメッセージを画面表示あるいは音声により通知する。これにより、ユーザは、自分の予約を変更する必要があることが分かり、所定の変更をすることができる。
【００１６】
上記実施の形態では、毎週の録画の場合を例にとって説明したが、毎日や毎月の繰り返し録画の予約の場合も上記毎週の場合に準じて、対処可能である。すなわち、図２や図３のフローチャートのステップＳ２で、毎週に加えて、毎日と毎月の設定の有無を判断し、ステップＳ３では、ステップＳ２の判断結果に応じて処理を行うことができる。
【００１７】
図１のブロック図では、予約内容比較部２６がＣＰＵ２２とは、別個に設けられている例を示しているが、ＣＰＵ２２に予約内容比較部２６の機能を持たせるようにすることもできる。
【００１８】
また上記実施の形態は、録画を予約する場合を例にとって説明しているが、録画ではなく、番組の受信のみを予約する場合にも本発明は適用可能である。
【産業上の利用可能性】
【００１９】
以上説明したように、本発明の予約型放送受信・記録装置によれば、毎日、毎週、毎月の繰り返し受信や記録が設定されているときに、ユーザの思いこみにより誤って所望していない番組を受信したり記録することを効果的に防止すべく、注意のメッセージが出されるので、本発明は、ＴＶ受信機、記録／再生装置あるいは、これらを組み合わせた装置の分野で有用である。
【図面の簡単な説明】
【００２０】
【図１】本発明の予約型放送受信・記録装置の好ましい実施の形態を示すブロック図である。
【図２】図１の実施の形態における処理の一例を示すフローチャートである。
【図３】図１の実施の形態における処理の他の例を示すフローチャートである。
【符号の説明】
【００２１】
１０  予約型放送受信・記録装置
１２  アンテナ
１４  受信部
１６  ＥＰＧ（番組表）格納部
１８  予約内容確認メッセージ挿入部
２０  選択回路
２２  ＣＰＵ（中央演算処理装置）
２４  予約内容格納部
２６  予約内容比較部
３０  記録回路
３２  記録媒体
３４  再生回路
【図１】
2006333397.tif 000003
【図２】
2006333397.tif 000004
【図３】
2006333397.tif 000005